(57)【要約】【課題】従来の平面映像を前に層をなした重なる表現しかできなかった３Ｄ映像をより高精細に立体的な曲面も表示できる映像を撮影できる３眼３Ｄカメラ及び送信データ処理装置を提供する。【解決手段】４５度配置の反射ミラーと左右位置の異なるスリッド板を有する、スリッド装置を設けた横向き配置の左右カメラと前向きの中央カメラの出力をデジタルアナログ電圧変換時のレベル差から傾き度合で補完する電圧データの追加で得る映像データから曲面３Ｄ映像も撮影できることを特徴とする３眼３Ｄカメラ及び送信データ処理装置。【選択図】図１
2019004440.tif 000002
【特許請求の範囲】
【請求項１】
前方向に設けたカメラと、４５度に傾けた反射ミラーをレンズ前に配置し、反射ミラーに向けてスリッド装置と、横向きにある２台のカメラでレンズ面にレンズ筒に設け、ピントを合わせるピエゾ素子を設け、映像からピント情報をフードバックして往復運動からピントが合う時点でレンズ筒を静止させるカメラ本体にスタンドとスタンド台とアームと、電源コード及び出力コードとモニターを設けた３眼３Ｄカメラ及び送信処理装置。
【請求項２】
ＬＥＤ光源ランプに設けた右カメラ用の右側スリッド板と縦偏向板と、左カメラ用に左側スリッド板と横偏光板を挟み、左右カメラでスリッド板の隙間位置が異なるスリッド装置を設けた請求項１記載の３眼３Ｄカメラ及び送信処理装置。
【請求項３】
中央カメラ情報と左右カメラの映像を処理する演算回路のデジタルアナログ波形でレベル差を得るレジスタ回路と演算回路で傾き度合を演算し、サンプリング周波数発振回路からエンコード回路と時間変動数値を出力するデルタＴ回路の出力を復調プロセッサに入力し、基本信号を混合回路に加えより精密な映像情報を得ることを特徴とする３眼３Ｄカメラ及び送信処理装置。
【請求項４】
高周波パルス発振回路と分周回路と高速度計数回路からなるデルタＴ回路を復調プロセッサに入力し、細かな変動する分の電圧を得ることを特徴とする請求項３記載の３眼３Ｄカメラ及び送信処理装置。
【発明の詳細な説明】
【技術分野】
【０００１】  本発明は、簡単に高精細な３Ｄ映像を眼精疲労なしで撮影できる３眼３Ｄカメラ及び送信データ処理装置に関するものである。
【背景技術】
【０００２】  光のピント位置は、焦点距離の実験でレンズの前にある物体にレンズとの位置により焦点距離の位置は異なる。レンズ面の前に４５度に傾けた反射ミラーを配置すると、光反射度が被写体の位置により変わる。つまりレンズと被写体の位置関係でピント位置が変わる。平面上に被写体の位置角度の範囲は拡大することは知られている。【０００３】  これにより横方向に配置した小型ＣＣＤカメラは、４５度に傾けて配置した反射ミラーでレンズの位置により撮影範囲は拡大する。【０００４】  さらに映像からピント情報をフイードバックさせ、レンズ筒に取り付けたピエゾ素子が通常は往復運動し、ピントが合うとレンズ筒のピエゾ素子を静止させることでピント合わせできることも知られている。【０００５】  ＨＤ画質で送るには、搬送波の全帯域を使い、マルチビュー放送は３分割画面で、ＳＤ画質で送ることができることが知られている。また交互に組み合わせる放送も可能であることは、公知である。【０００６】  デジタルからアナログ変換時の電圧レベルの差を線分で見ると傾き角度が異なる。線分をつなぐとアナログ波形に近くなる。サンプリング周波数による時間軸とレベル差から想定できる三角形の面積は時間軸の時間変数とレベル差の電圧差変数の掛け算で２分の１を掛けたものである。これから傾き度が計算できる。０からサンプリングレートに要する区切る時間ΔＴで三角形の底辺の長さを想定し、レベル差から傾き度数が計算できる。この傾き度数から徐々により細かい時間変数Δτで変化するレベル電圧を計算できる。この方法が特許文献２に記載されている。
【先行技術文献】
【特許文献】
【０００７】
【特許文献１】特開２００７−５５４７３号公報
【特許文献２】特開２０１６−１３４９１１号公報
【発明の概要】
【発明が解決しようとする課題】
【０００８】  従来の３Ｄカメラは映像用の演算回路に複雑な回路構成により映像信号がうまく伝わらずタイムロスを起こし映像処理がうまく機能しなかった。書割効果という平面が凸凹に重なるように見える層が重なり合う視覚は、アナログ変換が雑でうまく方向性が出ない。ゆえに立体視ができなかった。
本発明は以上の問題を解決しようとするものである。
【課題を解決するための手段】
【０００９】  レンズ筒にピエゾ素子を設け映像からフイードバックしたピント情報から往復運動から静止する横向きの左右カメラと中央カメラを使い、フイールド計数手段で演算回路モジュールの機能や字幕挿入するプロセッサを制御管理する統一プロセッサでマルチビュー送信とＨＤ画質送信を切り替えデジタルアナログ変換の際のレベル差と時間軸の時間による三角形の面積の演算と傾き度数を演算する出力と元のアナログ変換の信号データをマルチビュー送信で送り、受信側で混合しアナログ波形に近い映像信号に変えて順序よく２Ｄと３Ｄをインターレース方式でフイールドごとに適切な画像を配信することが可能な３Ｄカメラである。
以上のような構成の３眼３Ｄカメラ及び送信データ処理装置。
【発明の効果】
【００１０】  スリッド装置によるＬＥＤ光源ランプでスリッド位置が左右カメラで異なることで被写体に当てる光の偏光の向きは異なるので映像が分離しやすく、反射ミラーに反射させるので光の指向性が高く、フイールド数計数と統一プロセッサで各演算回路の起動停止の制御やマルチビュー送信、ＨＤ画質送信の切り換え制御がスムーズに行うことを可能にした。さらに傾き信号の追加で書割効果が防ぎ立体視効果が高い映像を出力できる。
【図面の簡単な説明】
【００１１】
【図１】  本発明の３眼３Ｄカメラの全体の構造を示す図
【図２】  本発明のフイールド数の検知と字幕挿入を制御する回路構成図
【図３】  デジタルアナログ変換時のレベル差での傾きの図
【図４】  本発明の細かな時間に区切る場合のレベル電圧の増減を示す図
【図５】  本発明の送信時の傾き度も含む出力回路図
【図６】  本発明の受信時の信号を復調する演算回路の構成図
【図７】  本発明の各機能を命令する中枢部の構成図
【図８】  本発明のＲＯＭとリレーモジュールの関係を示す図
【図９】  本発明のリレーの演算回路の入力と起動の関係を示す図
【図１０】  本発明のＲＯＭに記録したオンオフの内容を示す図
【図１１】  本発明のＨＤとマルチビュー送信に切り替え回路例を示す図
【図１２】  本発明の高画質化のための復調回路構成図
【図１３】  本発明のスリッド装置の構成図
【図１４】  本発明のカメラに使う３ＣＣＤの概念図
【図１５】  本発明の演算回路のアドレス信号回路の図
【発明を実施するための形態】
【００１２】    以下、３眼３Ｄカメラの形態について図１から図１４を使って説明する。
中央カメラ（１）のレンズ（２）は、カメラ本体（５）の中央部に設け、レンズ（２）を移動させるレンズ筒（２０）にピエゾ素子（２１）を設けて、レンズ筒（２０）を往復運動させる。右カメラ（３）と左カメラ（４）も横向きに配置し、レンズ筒（２０）に中央カメラ（１）と同様に、ピエゾ素子（２１）を取り付け、４５度に傾けた反射ミラー（２２）をレンズ（２）前に配置する。カメラ本体（５）にスタンド（６）とスタンド台（７）と出力コード（８）とモニター（９）と電源コード（１０）さらにカメラ本体（５）のアーム（１１）が設けられている。
【００１３】  レンズ筒（２０）の奥にＣＣＤ（２３）が配置され、中央カメラのＣＣＤ（２３）はＣＣＤ１（２３０）、左カメラのものがＣＣＤ２（２３１）、右カメラのものがＣＣＤ３（２３２）とすると、各ＣＣＤ（２３）は同じ走査で電気変換するので同じスキャン回路（２４）に接続される。各ＣＣＤ（２３）は単独でピント合わせする映像ピント帰還回路（２５）でピエゾ素子（２１）を制御する。ピントが合えばピエゾ素子（２１）は、往復運動を停止しレンズ筒（２０）を静止させる。ピントが合わなくなるとまた往復運動を繰り返す。３ＣＣＤ方式でプリズム（２６）数枚で色分離する。なお、図１４に３ＣＣＤの構成図を示す。３ＣＣＤは３板型で色ごとに演算回路に直結する。
【００１４】  マルチビュー送信でＳ１，Ｓ２，Ｓ３の３分割画面で送るものである。
Ｓ３に傾き情報をＥ１，Ｅ２それぞれの値に加えデジタルアナログ変換時の僅かなレベル差の形成する三角形の角度による、傾き度数の追加する値と各演算機能を起動させる識別信号を多重で送る。これは、送信側の演算回路５（Ｅ５）（１２７）で記号化して組み合わせ信号の見送ることができる。受信側で復調プロセッサ（１０２）により傾きの情報に復調できる。レジスタ回路（１２９）に右カメラ信号と左カメラ信号をレジスト（一時記憶）させて演算回路１（１２３）に入力する。同じく右カメラ信号と字幕抜きの中央カメラ信号をレジスタ回路（１２９）に入力し、演算回路２（Ｅ２）（１２４）に入力する。
Ｓ１に右カメラ映像データを、Ｓ２で中央カメラ映像データ（字幕なし）を送る。ＨＤ画質で送る中央カメラ映像は字幕を入れることができる。ＨＤ画質は全域の帯域を使い送るので奇数フイールド時に送ることを考え、偶数フイールド時にマルチビューで送ることであれば、中央カメラ映像は、受信機側で比較して高画質化できる。これは次の映像データの演算方法を使うことで機能的な送信ができる。
【００１５】  送信側では次の演算を行う。
演算方法１（Ｅ１）  右カメラ映像−左カメラ映像
演算方法２（Ｅ２）  右カメラ映像−中央カメラ（字幕なし）
受信側で次の演算を行う。
演算方法３（Ｅ３）  右カメラ映像＝Ｅ２＋中央カメラ（字幕なし）
演算方法４（Ｅ４）  左カメラ映像＝Ｅ２＋中央カメラ（字幕なし）−Ｅ１
【００１６】  図３に示す通り、中央カメラ（１）、右カメラ（３）、左カメラ（４）は、ともにＨＤ画質以上の画質のカメラである。中央カメラ（１）は、中央カメラ出力（１０）に接続されている。右カメラ（３）は、右カメラ出力（３０）に接続されている。左カメラ（４）は左カメラ出力（４０）に接続する。字幕挿入（２７）は字幕混合回路（２９）に中央カメラ出力（１０）とともに入力する。フイールド計数手段（１３）はフイールドパルス検知回路（２８）に接続されている。フイールドパルス検知回路（２８）からのパルスを計数する。統合プロセッサ（１１６）にフイールド計数手段（１３）に接続され、統合プロセッサ（１１６）は、このフイールド数値で様々な制御信号を出力する。
【００１７】  演算法において、共通項は、右カメラ映像データである。これはマルチビューで偶数フイールド時にＳ１で送ることができる。Ｓ２で字幕なしの中央カメラ映像データが送ることができる。右カメラ映像データがＳ１から送信されるがこれは基本データで補完したデータを追加する。これは図４の傾き度を演算する回路でこれによる三角形の面積から角度（傾き度）さらにより高精度な時間変数Δτの演算で補完数値データを得ることができる。この傾き度はＳ３から送信される。つまりこの補完データとＳ１の基本データを加算することでより正確なデータを得ることができる。これは後で説明する。
【００１８】  ここで演算方法１（Ｅ１）を具体的に演算回路１（１２３）とする。同様に演算方法２は演算回路２（１２４）、演算方法３を演算回路３（１２５）、演算方法４を演算回路４（１２６）とする。演算回路１（Ｅ１）（１２３）の内容は、Ｓ３で送ることができるので演算回路３（Ｅ３）（１２５）は奇数フイールド時で３フイールドの時に演算結果を読みだすことができる。
演算回路４（Ｅ４）（１２６）は演算方法３が共通項であるため演算回路３（Ｅ３）（１２５）の演算結果を利用できる。つまり３フイールドで読みだされたデータに演算方法１（Ｅ１）を追加して演算する。
すると、左カメラ映像データが出力される。１フイールド目で演算１と、演算２を行い２フイールド目で送信する。３フイールド目で演算方法３から右カメラ映像を作る。同時に演算方法１と演算方法２を行う。４フイールド目で演算方法４から結果を表示する。
演算機能がない映像機器は演算３及び演算４がないので中央カメラ映像のみ表示される。
【００１９】  ４フイールド時に映像を出す場合３フイールドで右カメラ映像を出し、４フイールド時は左カメラ映像を出すので飛越走査（インターレース方式）を使い、一度演算方法３（Ｅ３）の演算データをメモリ（ＤＲＡＭ）（１２）に記憶してフイールド計数手段（１３）で走査線数をパルスで計数すると「２」パルスで「１」出力するＴ−ＦＦ（１４）を使い、メモリ（ＤＲＡＭ）（１２）で「１」で読みだすと、走査線偶数列に読みだすことができる。これに演算回路１（Ｅ１）（１２３）を追加して演算する、演算回路４（Ｅ４）（１２６）で左カメラ映像を出力できる。
【００２０】  受信機側で３フイールド時に演算回路３（Ｅ３）（１２５）で右カメラ映像が走査線奇数走査線数をパルスで計数すると「２」パルスで「１」出力するＴ−ＦＦ（１４）を使い、メモリ（ＤＲＡＭ）（１２）で「１」で読みだすと、走査線偶数列に読みだすことができる。これに演算回路１（Ｅ１）（１２３）を追加して演算する、演算回路４（Ｅ４）（１２６）で左カメラ映像を出力できる。
【００２１】  受信機側で３フイールド時に演算回路３（Ｅ３）（１２５）で右カメラ映像が走査線奇数列に表示され、４フイールド時に演算回路４（Ｅ４）（１２６）で左カメラ映像が走査線偶数列に表示される。
受信機側で１フイールド時は、中央カメラ字幕入りの映像データが表示され、２フイールド時に同じく中央カメラ映像が字幕抜きで表示される。普通のテレビに字幕は入る映像が表示される。これはパソコン画面も同様である。
【００２２】  図７から図９に示す通り、演算回路は画素ごとにモジュール化した演算回路モジュール（１２２）は、ＲＧＢ別々にユニットで構成され、演算回路モジュール（１２２）は数個必要である。
統合プロセッサ（１１６）で全ての演算回路や入力と出力を制御する。
そこでＲＯＭ（１１７）を利用して第２のＤＡＣ（１２０）で１６端子出力を４分割してＲＯＭ（１１７）を１６ビットの記録した開閉情報から４分割して「０」をオフ、「１」をオンとして４端子の各端子にリレーモジュール（１２１）を接続、入力と出力端子をつけると１６ビットで４回路の４組ができる。計１６回路で構成される。４回路を１ユニットとすると４ユニットで同時に４動作ができる。
例えば演算回路１（１２３）と演算回路２（１２４）を同時に動かすと２ユニット計８回路を動かすので４ビットまでと５ビットから８ビットまでとなる。最大４ユニット計１６回路までできる。
【００２３】  ＣＣＤの番号で統一すると中央カメラはＣＣＤ１で１番、左カメラはＣＣＤ２で２番、右カメラはＣＣＤ３で３番である。そこでＩ１を中央カメラ入力、Ｉ２を左カメラ入力、Ｉ３を右カメラ入力とする。並びで１ビット目、２ビット目、３ビット目、４ビット目も同様な考え方で「０」をオフ「１」をオンとする。Ｅ１は（右カメラ映像−左カメラ映像）だから３ビッド目と２ビット目を使い、同時にＥ２は（右カメラ映像−中央カメラ映像）で３ビット目と１ビット目を使う。ゆえに２ブロック計８ビット使う。「０」が閉つまりオフであるから通過しない。「１」はオンつまり通過する。これはスイッチ作用をする。記憶書き込みは「０」呼び出しは「１」とすればよく演算回路オンは「１」オフは起動なしとすればいい。  この方法は統一して各要素機能を動かせるので複数個の制御ができる特徴がある。
【００２４】  また図１０の図表に示す動作を１ユニットから４ユニットに表す動きをする「０」は動作しない。「１」は動作するである。中央カメラ映像は、１番、左カメラ映像は２番、右カメラ映像は、は３番である。演算回路１（Ｅ１）（１２３）は１ユニットに演算回路２（１２４）、Ｅ２は２ユニット、３ユニットは、Ｅ４で演算回路１（Ｅ１）（１２３）と演算回路２（Ｅ２）（１２４）と中央カメラを含むので３ユニット使う。最大４ユニットある。これはフイールド計数手段（１３）でアドレスするもので内容はＲＯＭ（１１７）に記録されている。  このユニットはＲＧＢ別３ブロックで構成される。
【００２５】  次にＲＯＭ（１１７）の内容について、１６ビットつまり４ビット４組がそれぞれＬブロック、Ｍブロック、Ｒブロック、Ｄブロックに分かれて４個のオンオフつまり「０」或いは、「１」の組み合わせができる。図９にあるように４個のリレーであればこの組み合わせで切り換えができる。演算回路の起動は供給電源もオンオフすることで省エネもする。
【００２６】  例えば、Ｉ１が４個のリレーで入力できると中央カメラ、左カメラ、右カメラが入力することで切り換えができる。演算回路もＥ１、Ｅ２、Ｅ３、Ｅ４、の起動（オン）停止（オフ）ができる。Ｄブロックは演算回路１（Ｅ１）（１２３）から演算回路４（Ｅ４）（１２６）までの起動を示す。演算回路５（Ｅ５）（１２７）は、常時起動しているのでＲＯＭ（１１７）の制御は受けない。
【００２７】  「１」（オン）で４個並んだビットで１ビット目がＥ１、２ビット目は、Ｅ２、３ビット目はＥ３、４ビット目はＥ４である。「１」の時に演算回路のどれか起動する。
【００２８】  図１１でフイールド計数手段（１３）は、マルチビューとＨＤの区別をする。奇数フイールドでＨＤモード、偶数フイールド数はマルチビューで送る。第１のＤＡＣ（１５）から端子「１」、「３」はＨＤ画質送信回路（１６）に「２」、「４」はマルチビュー送信回路（１７）に切り替える。ゆえに第１のＤＡＣ（１５）は、切り換えリレーモジュール（１８）に接続され、マルチビュー送信回路（１７）とＨＤ画質送信回路（１６）に接続されている。ＨＤ画質送信回路（１６）は、全帯域を使いＨＤ画質で送信する回路である。マルチビュー送信回路（１７）は３分割されＳ１、Ｓ２、Ｓ３、に分割した形式で送信する回路である。
【００２９】  フイールド計数手段（１３）は中央カメラ信号（ＱＣ信号）と、右カメラ信号（ＱＲ信号）と、左カメラ信号（ＱＬ信号）を切り替える、切り換え信号パルス変換回路（１９）に接続し、Ｓ３からＰＩＤ（荷札信号）で区別して送信する。
【００３０】  傾き信号は演算回路５（Ｅ５）（１２７）で演算する。この演算アルゴリズムは、前述に記載されてとおりである。この信号がＰＩＤで区別され記号の組み合わせで送られてくる場合、その組み合わせから復調プロセッサ（１０２）の記憶回路や照合回路で特定の傾き度数の数値を得ることができる。（段落［０００６］参照）
【００３１】  図１２のように、受信回路（１００）は、第１混合回路（１０１）にＳ１から右カメラ信号（基本信号）とＳ３から演算回路２（Ｅ２）（１２４）信号と傾き信号は出力されるので復調プロセッサ（１０２）に傾き信号を入力、サンプリング周波数発振回路（１０３）からエンコード数値を入力するエンコード回路（１０４）さらに連続した時間変動数値を５）は高周波パルス発振回路（１０７）と分周回路（１０８）と高速度計数回路（１０９）で構成されている。第２混合回路（１２８）は、演算回路２（Ｅ２）（１２４）と中央カメラ信号であるＳ２からさらに傾き信号データをＳ３から復調プロセッサ（１０２）にＤ１信号を入力する。
【００３２】  演算回路１（Ｅ１）（１２３）及び演算回路２（Ｅ２）（１２４）の出力はメモリ（１３３）に記憶されるがフイールド計数手段（１３）から「２」パルスで第２のＴ−ＦＦ（１３４）が「１」出力、読みだす。「１」パルスで書き込みを行う。「２」パルスは２フイールドの時に出るので読み出しモードになる。
【００３３】  図１３に示す通り、スリッド装置（１１８）は、反射ミラー（２２）の上面に設ける。  左右分離の際にＬＥＤ光源ランプ（１１０）を反射ミラー（２２）の取り付け、スリッドが縦に入る、右側スリッド板（１１１）と縦偏光板（１１２）左側スリッド板（１１３）に横偏光板（１１４）を挟んで反射ミラー（２２）に光を反射させる。右側スリッド板（１１１）と右側スリッド板（１１２）のスリッドの位置が異なることで光の当たる位置がずれる。
以上のような構成である。
【符号の説明】
【００３４】１      中央カメラ
１０    中央カメラ出力
１１    アーム
１２    メモリ（ＤＲＡＭ）
１３    フイールド計数手段
１４    Ｔ−ＦＦ
１５    第１のＤＡＣ
１６    ＨＤ画質送信回路
１７    マルチビュー送信回路
１８    切り換えリレーモジュール
２      レンズ
２０    レンズ筒
２１    ピエゾ素子
２２    反射ミラー
２３    ＣＣＤ
２３０  ＣＣＤ１
２３１  ＣＣＤ２
２３２  ＣＣＤ３
２４    スキャン回路
２５    映像ピント帰還回路
２６    プリズム
２５    映像ピント帰還回路
２６    プリズム
２７    字幕挿入
２８    フイールドパルス検知回路
２９    字幕混合回路
３      右カメラ
３０    右カメラ出力
４      左カメラ
４０    左カメラ出力
５      カメラ本体
６      スタンド
７      スタンド台
８      出力コード
９      モニター
１００  受信回路
１０１  第１混合回路
１０２  復調プロセッサ
１０３  サンプリング周波数発振回路
１０４  エンコード回路
１０５  デルタＴ回路
１０６  アナログ変換器
１０７  高周波パルス発振回路
１０８  分周回路
１０９  高速度計数回路
１１０  ＬＥＤ光源ランプ
１１１  右側スリッド板
１１２  縦偏光板
１１３  左側スリッド板
１１４  横偏光板
１１５  プログラムゲート回路
１１６  統合プロセッサ
１１７  ＲＯＭ
１１８  スリッド装置
１２０  第２のＤＡＣ
１２１  リレーモジュール
１２２  演算回路モジュール
１２３  演算回路１（Ｅ１）
１２４  演算回路２（Ｅ２）
１２５  演算回路３（Ｅ３）
１２６  演算回路４（Ｅ４）
１２７  演算回路５（Ｅ５）
１２８  第２混合回路
１２９  レジスタ回路
１３０  インバータ
１３１  アドレスカウンタ回路
１３２  クロックパルス発振回路
１３３  メモリ
１３４  第２のＴ−ＦＦ
【図１】
2019004440.tif 000003
【図２】
2019004440.tif 000004
【図３】
2019004440.tif 000005
【図４】
2019004440.tif 000006
【図５】
2019004440.tif 000007
【図６】
2019004440.tif 000008
【図７】
2019004440.tif 000009
【図８】
2019004440.tif 000010
【図９】
2019004440.tif 000011
【図１０】
2019004440.tif 000012
【図１１】
2019004440.tif 000013
【図１２】
2019004440.tif 000014
【図１３】
2019004440.tif 000015
【図１４】
2019004440.tif 000016
【図１５】
2019004440.tif 000017
【手続補正書】
【提出日】平成29年6月10日(2017.6.10)
【手続補正１】
【補正対象書類名】図面
【補正対象項目名】図５
【補正方法】変更
【補正の内容】
【図５】
2019004440.tif 000018
【手続補正書】
【提出日】平成29年6月12日(2017.6.12)
【手続補正１】
【補正対象書類名】図面
【補正対象項目名】図５
【補正方法】変更
【補正の内容】
【図５】
2019004440.tif 000019
【手続補正２】
【補正対象書類名】図面
【補正対象項目名】図２
【補正方法】変更
【補正の内容】
【図２】
2019004440.tif 000020
【手続補正３】
【補正対象書類名】明細書
【補正対象項目名】００３４
【補正方法】変更
【補正の内容】
【００３４】１      中央カメラ
１０    中央カメラ出力
１１    アーム
１２    メモリ（ＤＲＡＭ）
１３    フイールド計数手段
１４    Ｔ−ＦＦ
１５    第１のＤＡＣ
１６    ＨＤ画質送信回路
１７    マルチビュー送信回路
１８    切り換えリレーモジュール
２      レンズ
２０    レンズ筒
２１    ピエゾ素子
２２    反射ミラー
２３    ＣＣＤ
２３０  ＣＣＤ１
３３２  ＣＣＤ２
３３２  ＣＣＤ３
２４    スキャン回路
２５    映像ピント帰還回路
２６    プリズム
２７    字幕挿入
２８    フイールドパルス検知回路
２９    字幕混合回路
３      右カメラ
３０    右カメラ出力
４      左カメラ
４０    左カメラ出力
５      カメラ本体
６      スタンド
７      スタンド台
８      出力コード
９      モニター
１００  受信回路
１０１  第１混合回路
１０２  復調プロセッサ
１０３  サンプリング周波数発振回路
１０４  エンコード回路
１０５  デルタＴ回路
１０６  アナログ変換器
１０７  高周波パルス発振回路
１０８  分周回路
１０９  高速度計数回路
１１０  ＬＥＤ光源ランプ
１１１  右側スリッド板
１１２  縦偏光板
１１３  左側スリッド板
１１４  横偏光板
１１５  プログラムゲート回路
１１６  統合プロセッサ
１１７  ＲＯＭ
１１８  スリッド装置
１２０  第２のＤＡＣ
１２１  リレーモジュール
１２２  演算回路モジュール
１２３  演算回路１（Ｅ１）
１２４  演算回路２（Ｅ２）
１２５  演算回路３（Ｅ３）
１２６  演算回路４（Ｅ４）
１２７  演算回路５（Ｅ５）
１２８  第２混合回路
１２９  レジスタ回路
１３０  インバータ
１３１  アドレスカウンタ回路
１３２  クロックパルス発振回路
１３３  メモリ
１３４  第２のＴ−ＦＦ
【手続補正書】
【提出日】平成29年9月19日(2017.9.19)
【手続補正１】
【補正対象書類名】特許請求の範囲
【補正対象項目名】請求項１
【補正方法】変更
【補正の内容】
【請求項１】
被写体に向けて、前方向にレンズを向けた中央カメラと、被写体に向かって４５度に傾けて配置した反射ミラーと、反射ミラーの反射面に向けたスリッド装置と、反射ミラーの面に向けたレンズと、映像ピント帰還回路からのピント情報を使い、ピエゾ素子にフイールドバックしてレンズ筒の往復運動からレンズ筒を静止させて、ピント合わせを行う、ピエゾ素子をレンズ筒に備えた中央カメラと、反射ミラーとスリッド装置を付属し前述のピント合わせを行うレンズ筒を備えた左カメラ及び右カメラを本体部に横向きに配置させ、カメラ本体部とスタンドと、スタンド台と、アームと電源コード及び出力コードと、モニターを設けたことを特徴とする３眼３Ｄカメラ及び送信処理装置。
【手続補正２】
【補正対象書類名】特許請求の範囲
【補正対象項目名】請求項２
【補正方法】変更
【補正の内容】
【請求項２】
ＬＥＤ光源ランプに設けた右カメラ用の右側スリッド板に縦偏光板を挟み、左カメラ用に左側スリッド板を横偏光板に挟み、左カメラと右カメラでスリッド板のスリッド位置が異なるスリッド装置を設けたことを特徴とする請求項１記載の３眼３Ｄカメラ及び送信処理装置。